(57)【要約】【課題】カートリッジ側継手とキャビネット側継手との間から漏れた水が引出しや水回りキャビネット内に垂れる防止でき、且つ、漏れた水を容易に除去できる水回りキャビネットを提供する。【解決手段】本発明による水回りキャビネット(1)は、幕板(12)が設けられたシンク(8)と、幕板(12)の前方に位置し且つ開閉可能な前板(16)と、幕板(12)と前板(16)との間のスペース(18)に配置された浄水カートリッジ(2)を有する。浄水カートリッジ(2)は、それへの給水口及びそれからの出水口を有するカートリッジ側継手(24)を有する。カートリッジ側継手(24)とそれに嵌合するキャビネット側継手(32)との間から垂れた水を受入れる水受け容器(36)が、取外し可能にスペース(18)に配置される。【選択図】図１
2009077925.tif 000002
【特許請求の範囲】
【請求項１】
浄水カートリッジが取付けられる水回りキャビネットであって、
幕板が設けられたシンクと、
前記幕板の前方に位置する閉位置から前方に開いたり前記閉位置に閉じたりすることが可能な前板と、
前記幕板と前記前板との間のスペースに配置された浄水カートリッジと、を有し、
前記浄水カートリッジは、前記浄水カートリッジへの給水口及びそれからの出水口を有するカートリッジ側継手を有し、
前記水回りキャビネットは、更に、前記カートリッジ側継手に嵌合可能なキャビネット側継手を有し、
前記カートリッジ側継手と前記キャビネット側継手との間から垂れた水を受入れる水受け容器が、取外し可能に前記スペースに配置されることを特徴とする水回りキャビネット。
【請求項２】
更に、第一位置と第二位置との間を変位可能な変位部材を有し、前記変位部材は、前記水受け容器が配置されているときに前記水受け容器によって前記第一位置に変位させられ、前記水受け容器が配置されていないときに第二位置に付勢され、
前記第二位置に付勢された前記変位部材により、前記前板が前記閉位置まで閉じることが阻止されることを特徴とする請求項１に記載の水回りキャビネット。
【請求項３】
更に、第一位置と第二位置との間を変位可能な変位部材を有し、前記変位部材は、前記水受け容器が配置されているときに前記水受け容器によって前記第一位置に変位させられ、前記水受け容器が配置されていないときに第二位置に付勢され、
前記変位部材が前記第一位置に変位させられているとき、前記浄水カートリッジは前記幕板と前記前板との間のスペースに配置可能であるが、前記変位部材が前記第二位置に付勢されているとき、前記浄水カートリッジを前記スペースに配置することが阻止されることを特徴とする請求項１に記載の水回りキャビネット。
【請求項４】
前記前板は、前記水受け容器内に水が入っているかどうかを見ることができる窓を有することを特徴とする請求項１〜３のいずれか１項に記載の水回りキャビネット。
【請求項５】
前記水受け容器は、上蓋を有し、前記上蓋は、前記水受け容器が前記上蓋で閉じられているときに、前記上蓋に垂れた水を前記水受け容器内に導くための孔を有することを特徴とする請求項１〜４のいずれか１項に記載の水回りキャビネット。
【発明の詳細な説明】
【技術分野】
【０００１】
本発明は、水回りキャビネットに関し、更に詳細には、浄水カートリッジが取付けられる水回りキャビネットに関する。
【背景技術】
【０００２】
シンクを有する水回りキャビネットにおいて、水道水中の不純物を除去するための浄水装置を取付けることが行われている。このような水回りキャビネットにおいて、浄水装置の浄水カートリッジが、シンクの手前側に配置された幕板と引出し又は前扉の前板との間の左右方向に延びるスペースに配置されているものが知られている（例えば、特許文献１参照）。特許文献１に開示された浄水カートリッジは、水道水中の不純物を除去する機能を有する鉛吸着材、活性炭及び中空糸膜等が収容されたカートリッジ容器と、浄水カートリッジへの給水口及びそれからの出水口を有するカートリッジ側継手とを有し、カートリッジ側継手は、その給水及び出水のために、浄水カートリッジの右方に配置されたキャビネット側継手に嵌合可能である。カートッジ側継手及びキャビネット側継手は、それらを分離したときにそれらの中に入っている水が漏れることを防止するためのシール機構を有している。
【０００３】
また、幕板に孔を設け、その孔の後側に、浄水カートリッジを挿入し且つ取付けるためのカートリッジケースを取付けた水回りキャビネットが知られている（例えば、特許文献２参照）。このカートリッジケースの底部には、浄水カートリッジを取外したときに漏れた水を受入れるための凹部が設けられている。
【０００４】
【特許文献１】特開２００７−１４４３６３号公報
【特許文献２】特開平６−２１７８３４号公報
【発明の開示】
【発明が解決しようとする課題】
【０００５】
特許文献１に開示されている水回りキャビネットでは、浄水カートリッジを取外したとき、カートリッジ側継手とキャビネット側継手との間から、シール機構では防止できない少量の水が漏れて、引出しや水回りキャビネット内に垂れてしまう。また、特許文献２に開示されている水回りキャビネットでは、そのように漏れた水をカートリッジケースの凹部に受入れることができるけれども、浄水カートリッジを取外さなければ、漏れた水を拭き取ったりすることによって除去することができない。
【０００６】
そこで、本発明の目的は、カートリッジ側継手とキャビネット側継手との間から漏れた水が引出しや水回りキヤビネット内に垂れることを防止でき、且つ、漏れた水を容易に除去できる水回りキャビネットを提供することにある。
【課題を解決するための手段】
【０００７】
上記目的を達成するために、浄水カートリッジが取付けられる本発明による水回りキャビネットは、幕板が設けられたシンクと、幕板の前方に位置する閉位置から前方に開いたり閉位置に閉じたりすることが可能な前板と、幕板と前板との間のスペースに配置された浄水カートリッジと、を有し、浄水カートリッジは、浄水カートリッジへの給水口及びそれからの出水口を有するカートリッジ側継手を有し、水回りキャビネットは、更に、カートリッジ側継手に嵌合可能なキャビネット側継手を有し、カートリッジ側継手とキャビネット側継手との間から垂れた水を受入れる水受け容器が、取外し可能に上記スペースに配置されることを特徴としている。
【０００８】
このように構成された本発明による水回りキャビネットでは、カートリッジ側継手とキャビネット側継手との間から漏れた水は、スペースに配置された水受け容器に受入れられる。それにより、漏れた水が、引出しや水回りキャビネット内に垂れることが防止される。また、水受け容器を取外すことによって、受入れた水を、浄水カートリッジが取付けられた状態で、例えばシンクに容易に捨てて除去することができる。
【０００９】
本発明による水回りキャビネットの実施形態において、好ましくは、更に、第一位置と第二位置との間を変位可能な変位部材を有し、変位部材は、水受け容器が配置されているときに水受け容器によって第一位置に変位させられ、水受け容器が配置されていないときに第二位置に付勢され、第二位置に付勢された変位部材により、前板が閉位置まで閉じることが阻止される。
【００１０】
この実施形態の水回りキャビネットでは、前板を閉位置から開いて、水受け容器を取外すと、変位部材が第一位置から第二位置に付勢される。水受け容器を取外したままの状態で、前板を閉位置に閉じようとすると、第二位置に付勢された変位部材により、前板が閉位置まで閉じることが阻止される。従って、水受け容器を幕板と前板との間のスペースに配置することを忘れたまま、前板を閉じることが防止され、それにより、漏れた水が、引出しや水回りキャビネット内に垂れることがより確実に防止される。
【００１１】
また、本発明による水回りキャビネットの実施形態において、好ましくは、更に、第一位置と第二位置との間を変位可能な変位部材を有し、変位部材は、水受け容器が配置されているときに水受け容器によって第一位置に変位させられ、水受け容器が配置されていないときに第二位置に付勢され、変位部材が第一位置に変位させられているとき、浄水カートリッジは幕板と前板との間のスペースに配置可能であるが、変位部材が第二位置に付勢されているとき、浄水カートリッジをスペースに配置することが阻止される。
【００１２】
この実施形態の水回りキャビネットでは、前板を閉位置から開いて、浄水カートリッジと水受け容器を取外すと、変位部材が第一位置から第二位置に付勢される。水受け容器を取外したままの状態で、浄水カートリッジを取付けようとすると、第二位置に付勢された変位部材により、浄水カートリッジを取付けることが阻止される。従って、水受け容器を幕板と前板との間のスペースに配置することを忘れたまま、浄水カートリッジを取付けることが防止され、それにより、漏れた水が、引出しや水回りキャビネット内に垂れることがより確実に防止される。
【００１３】
また、本発明による水回りキャビネットの実施形態において、好ましくは、前板は、水受け容器内に水が入っているかどうかを見ることができる窓を有する。
【００１４】
この実施形態の水回りキャビネットでは、前板を閉位置から開くことなしに、カートリッジ側継手とキャビネット側継手との間から水が漏れたかどうかを確認することができる。例えば、カートリッジ側継手とキャビネット側継手との嵌合が不完全なために、それらの間から水が漏れている場合、水漏れを早期に発見することが可能である。
【００１５】
また、本発明による水回りキャビネットの実施形態において、好ましくは、水受け容器は、上蓋を有し、上蓋は、水受け容器が上蓋で閉じられているときに、上蓋に垂れた水を前記水受け容器内に導くための孔を有する。
【００１６】
この実施形態の水回りキャビネットでは、カートリッジ側継手とキャビネット側継手との間から漏れた水は、水受け容器の上蓋に垂れた後、孔を通って水受け容器内に移動する。水受け容器を取外したとき、上蓋があることにより、水受け容器内の水がそれからこぼれることが防止され、水が引出しや水回りキャビネット内に垂れることがより確実に防止される。
【発明の効果】
【００１７】
以上説明したように、本発明による水回りキャビネットによれば、カートリッジ側継手とキャビネット側継手との間から漏れた水が引出しや水回りキャビネット内に垂れることを防止でき、且つ、漏れた水を容易に除去できる。
【発明を実施するための最良の形態】
【００１８】
以下、図面を参照して、本発明による水回りキャビネットの実施形態を説明する。
【００１９】
先ず、本発明による水回りキャビネットの第１の実施形態を説明する。図１は、本発明の第１の実施形態による水回りキャビネットの概略的な斜視図である。図２は、図１に示す水回りキャビネットに取付けられる浄水カートリッジの概略的な斜視図である。図３は、図１の線III−IIIにおける断面図である。図４は、図３に示す幕板及び後述する水受け容器を示す斜視図である。図５は、図３に示す幕板及び水受け容器の分解斜視図である。図６は、図３に示す水受け容器を後方から見た斜視図である。図７は、水受け容器の取付けを示すための水回りキャビネットの部分拡大図である。
【００２０】
図１に示すように、本発明の第１の実施形態である水回りキャビネット１は、浄水カートリッジ２が取付けられるタイプのものであり、開閉可能な収納キャビネット４と、その上に配置された天板６と、天板６に組み込まれたシンク８とを有している。また、水回りキャビネット１は、シンク８の奥側に水栓（図示せず）及び浄水吐水口（図示せず）を有しているのがよい。以下、水回りキャビネットの使用者から見て、手前側を前側と称し、奥側を後側と称し、左右方向を幅方向と称する。
【００２１】
シンク８は、概略的には、それを上方から見たときに、角が丸められた矩形をなし、その周囲を構成する壁１０を有している。シンクの前壁１０ａは、天板の前端６ａから少し後方に位置している。シンク８の前壁１０ａの前側に近接して、前方から見てシンク８の前壁１０ａ全体を遮るように天板もしくは側板に固定された幕板１２が設けられている。
【００２２】
図１及び図３に示すように、収納キャビネット４は、引出し式のものであり、本実施形態では、上下方向に３段の引出し１４を有している。上段の引出し１４は、それが閉じた閉位置１４ａにあるときに幕板１２の前方に位置し且つ天板６の前端６ａと整列する前板１６を有しており、閉位置１４ａから前方に開いたり閉位置１４ａに閉じたりすることが可能である。上段の引出し１４は、その収納スペースがシンク８に浸食されるので、比較的平べったいもの又は小さいものを収容することが可能である。上段の引出し１４が閉位置１４ａにあるとき、幕板１２と前板１６との間にスペース１８が生じる。このスペース１８は、例えば、前後方向の寸法が４０〜５０ｍｍ、高さ方向の寸法が１３０〜１５０ｍｍ、幅方向の寸法が９００〜１１００ｍｍである。
【００２３】
図１〜図３に示すように、浄水カートリッジ２を含む浄水ユニット２０が、幕板１２と前板１６との間のスペース１８に配置されるように構成されている。詳細には、浄水ユニット２０は、上記スペース１８に適合した形状及び寸法を有するケース２２と、ケース２２内に配置された浄水カートリッジ２と、浄水カートリッジ２への給水口２４ａ及びそれからの出水口２４ｂを構成するカートリッジ側継手２４とを有し、浄水カートリッジ２は、３つのカートリッジ容器２６と、３つのカートリッジ容器２６が取付けられるマニホールド２８とを有している。
【００２４】
ケース２２は、横長であり、ほぼ直方体の形状を有しており、上記スペース１８の右端部に配置されている。また、３つのカートリッジ容器２６は、左右方向に並べられ、マニホールド２８は、カートリッジ容器２６の上側に配置されている。カートリッジ側継手２４は、ケース２２内の右端部に配置されている。
【００２５】
本実施形態では、３つのカートリッジ容器２６はそれぞれ、鉛吸着材、活性炭及び中空糸膜を収容し、これらのカートリッジ容器２６が直列に接続されている。即ち、浄水ユニット２０のカートリッジ容器２６、マニホールド２８及びカートリッジ側継手２４は、浄化すべき水がカートリッジ側継手２４の給水口２４ａから配管２９を通ってマニホールド２８の左端部２８ａに流入し、マニホールド２８によって３つのカートリッジ容器２６を左側から順番に流れ、マニホールド２８の右端部２８ｂからカートリッジ側継手２４の出水口２４ｂを通って流出するように構成されている。
【００２６】
カートリッジ側継手２４は、上記スペース１８に取外し可能に配置されている。また、幕板１２は、浄水ユニット２０の後方に配置された孔３０（図４参照）を有し、カートリッジ側継手２４は、カートリッジ容器２６を含む浄水ユニット２０が上記スペース１８に配置されたときに幕板１２に設けられた孔３０を通して幕板１２の後方に延びている。具体的には、カートリッジ側継手２４の給水口２４ａ及び出水口２４ｂが、管形態を有し、後方に向かって延びている。給水口２４ａと出水口２４ｂは、上下に配置されていることが好ましい。
【００２７】
水回りキャビネット１は、更に、カートリッジ側継手２４に嵌合可能なキャビネット側継手３２を幕板１２の後側に有している。詳細には、キャビネット側継手３２は、ブロックの形態をなし、カートリッジ側継手２４の管形態の給水口２４ａ及び出水口２４ｂをそれぞれ前後方向に受入れる２つの受入れ口３２ａ、３２ｂを有している。給水口２４ａが嵌合する受入れ口３２ａは、例えば、水道水の給水管（図示せず）に接続されている。また、出水口２４ｂが嵌合する受入れ口３２ｂは、例えば、浄化された水が吐出される浄水吐出口（図示せず）に水栓（図示せず）を介して接続されている。カートッジ継手２４の給水口２４ａ及び出水口２４ｂ、並びにキャビネット側継手３２の受入れ口３２ａ、３２ｂは、カートリッジ側継手２４とキャビネット継手３２を分離したときに、それらの中に入っている水が漏れることを防止するためのシール機構（図示せず）を有している。
【００２８】
浄水ユニット２０は、カートリッジ側継手２４及びキャビネット側継手３２の嵌合だけによってスペース１８内に支持されることが好ましいが、浄水ユニット２０の左端部に、浄水ユニット２０を幕板１２に取付けるための取付け具（図示せず）が設けられていてもよい。
【００２９】
図４及び図５に示すように、幕板１２の孔３０は、カートリッジ側継手２４に対応する部分から下方に延びる第１の部分３０ａと、浄水ユニット２０を越えたところで第１の部分３０ａから左方に延びる第２の部分３０ｂとを有し、更に、第１の部分３０ａから第２の部分３０ｂにわたって延びる下縁３０ｃを有している。
【００３０】
図３〜図６に示すように、水回りキャビネット１は、更に、嵌合状態にあるカートリッジ側継手２４及びキャビネット側継手３２の下方に位置し且つ前方に向かって斜めに下がる傾斜板３４を有し、傾斜板３４で受けた水を受入れる水受け容器３６とを有している。水受け容器３６は、幕板１２への取付け取外しが可能である。
【００３１】
詳細には、水受け容器３６は、浄水ユニット２０の下に配置され、左右方向に細長いトレイの形態を有しており、上方に開放している。水受け容器３６は、水受け容器３６を幕板１２に取付けるために幕板１２の孔３０の下縁３０ｃに引掛けられる引掛け部３６ａを有している。また、傾斜板３４が、幕板１２の孔３０の第１の部分３０ａ及び第２の部分３０ｂを通り抜けるように引掛け部３６ａの上に固定されている。傾斜板３４の幅方向両端部には、傾斜板３４に垂れた水が水受け容器以外に流れないようにするための折曲げ部３４ｂが設けられている。幕板１２の孔３０の第２の部分３０ｂは、水受け容器３６を持上げて引掛け部３６ａを孔３０の下縁３０ｃから抜き取るときに引掛け部３６ａが干渉しない大きさを有している。
【００３２】
図７に示すように、水回りキャビネット１は、更に、水受け容器３６に隣接して配置された変位ユニット３８を有している。この変位ユニット３８は、幕板１２に取付けられた固定部４０と、固定部４０に対する第一位置４２ａと第二位置４２ｂとの間を変位可能な変位部材４２とを有している。詳細には、固定部４０は、上下方向に延びる枢軸受け４０ａを有し、変位部材４２は、細長く、その一方の端部が枢軸受け４０ａに枢動可能に受入れられた枢軸４２ｃを有している。また、変位部材４２は、水受け容器３６がスペース１８内に配置されるときに水受け容器３６によって枢軸４２ｃを中心に後方に枢動させられ、水受け容器３６のスペース１８内への配置を許す第一位置４２ａに変位させられるように構成されている。更に、変位部材４２は、水受け容器３６が配置されていないときにばね（図示せず）によって枢軸４２ｃを中心に前方に枢動させられ、前板１６が閉位置１４ａまで閉じることを阻止する第二位置４２ｂに付勢されている。第二位置４２ｂは、水受け容器３６をスペース１８内に配置するために水受け容器３６が第二位置４２ｂにある変位部材４２に当接したとき、変位部材４２が水受け容器３６によって押されて第一位置４２ａに向かって枢動しない角度方向位置であることが好ましい。例えば、第二位置４２ｂは、水受け容器３６をスペース１８内に取付ける方向に一致する方向に延びる位置（図７参照）又はその位置よりも更に第一位置４２ａに対して枢動した位置（図示せず）である。変位ユニット３８に対向する水受け容器３６の部分は、凹部になっていることが好ましい。
【００３３】
前板１６は、水受け容器３６内に水が入っているかどうかを見ることができる窓４４（図１参照）を有することが好ましい。例えば、窓４４は、水受け容器３６を斜め上方からのぞき込める位置に設けられる。また、水受け容器３６に、その中の水位を見ることができる窓（図示せず）を設け、前板１６の窓４４を、水受け容器３６の窓を見ることができるように設けてもよい。また、水受け容器３６を透明にして、窓４４を水受け容器３６が見える位置に配置してもよい。
【００３４】
次に、本発明による水回りキャビネットの第１の実施形態の動作を説明する。
【００３５】
先ず、水受け容器３６及び浄水ユニット２０を幕板１２に取付ける。詳細には、上段の引出し１４を手前に引いて開く。変位部材４２を手で押し込みながら、水受け容器３６の傾斜板３４を、幕板１２の孔３０の第１の部分３０ａ及び第２の部分３０ｂに通し、引掛け部３６ａを孔３０の下縁３０ｃに引掛けることにより、水受け容器３６を幕板１２に取付ける。そのとき、水受け容器３６は、変位ユニット３８の変位部材４２を枢軸４２ｃを中心に枢動させて第一位置４２ａに変位させる。次いで、浄水ユニット２０のカートリッジ側継手２４の給水口２４ａ及び出水口２４ｂをキャビネット側継手３２の受入れ口３２ａ、３２ｂに合わせて、浄水ユニット２０を後方に押込み、カートリッジ側継手２４とキャビネット側継手３２を嵌合させる。それにより、浄水ユニット２０を幕板１２に取付ける。次いで、上段の引出し１４を閉じる。変位部材４２が第一位置４２ａにあるので、変位部材４２は、上段の引出し１４を閉位置１４ａまで閉じるときの障害にならない。
【００３６】
水受け容器３６を取付けないで上段の引出し１４を閉じようとすると、第二位置４２ｂに付勢された変位部材４２に上段の引出し１４が突っかかり、上段の引出し１４の前板１６が閉位置１４ａまで閉じることが阻止される。それにより、水受け容器３６が取付けられていないことを使用者に知らせることができる。
【００３７】
次いで、水道水を浄化して吐出する。詳細には、水栓（図示せず）を開くと、水道水が、給水管（図示せず）、キャビネット側継手３２の受入れ口３２ａ及びカートリッジ側継手２４の給水口２４ａを通って浄水ユニット２０に入り、浄水ユニット２０内の配管２９、マニホールド２８及び３つのカートリッジ容器２６内を流れて、水道水内の不純物が除去されて浄水となり、浄水がカートリッジ側継手２４の出水口２４ｂ及びキャビネット側継手３２の受入れ口３２ｂ通って、浄水吐出口（図示せず）から吐出される。
【００３８】
カートリッジ容器２６内の鉛吸着材等を交換する場合、浄水ユニット２０を手前に引抜く。このとき、水道水の供給管（図示せず）、浄水ユニット２０及び、浄水吐出口側の配管（図示せず）の水の大部分は、カートリッジ側継手２４及びキャビネット側継手３２のシール機構（図示せず）によって漏れることが防止されるが、残りの少しの水は、垂れてしまう。垂れた水は、傾斜板３４で受け止められ、傾斜板３４に沿って流れて水受け容器３６に受入れられる。次いで、カートリッジ容器２６をマニホールド２８から取外して、カートリッジ容器２６内の鉛吸着材等を交換する。浄水ユニット２０を取外さずに、カートリッジ容器２６内の鉛吸着材を交換することができればそのようにしてもよい。その場合、カートリッジ容器２６をマニホールド２８から取外したときに垂れる水は、水受け容器３６によって受入れられる。
【００３９】
このように構成された水回りキャビネット１によれば、カートリッジ側継手２４とキャビネット側継手３２との間から漏れた水が水受け容器３６に受入れられるので、引出し１４の中や水回りキャビネット内に水が垂れることを防止することができる。また、水受け容器３６を幕板１２から簡単に取外すことができるので、水受け容器３６内の水を容易に捨てることができ、水回りキャビネット内を常に衛生的に管理できる。また、カートリッジ側継手２４とキャビネット側継手３２との間の嵌合が不完全な場合、水受け容器３６に水がたまるので、かかる不完全な嵌合を容易に知ることができる。窓が設けられていれば、引出し１４を開かずに、かかる不完全な嵌合を知ることができる。
【００４０】
次に、本発明による水回りキャビネットの第２の実施形態を説明する。本発明の第２の実施形態の水回りキャビネットは、第１の実施形態の変形部材が異なること以外、第１の水回りキャビネット１と同様の構成を有している。従って、異なっている部分だけを以下に説明する。
【００４１】
図８は、第２の実施形態の水回りキャビネットの部分的な正面図である。図９は、図８に示す変位ユニットの第一位置における斜視図である。図１０は、図８に示す変位ユニットの第二位置における斜視図である。図１１は、図８に示す上段の引出しを上方から見た部分的な斜視図である。
【００４２】
図８〜図１０に示すように、本発明の第２の実施形態である水回りキャビネット５０は、水受け容器３６に隣接して配置された変位ユニット５２を有している。この変位ユニット５２は、幕板１２に取付けられた固定部５４と、固定部５４に対する第一位置５６ａと第二位置５６ｂとの間を変位可能な変位部材５６とを有している。詳細には、固定部５４は、変位部材５６を受入れる孔５４ａを有する箱形であり、変位部材５６は、固定部５４の孔５４ａから出たり入ったりする箱形の摺動部５６ｃと、摺動部５６ｃから横方向に延びてから下方に曲げられた逆Ｌ字形部分５６ｄとを有している。逆Ｌ字形部分５６ｄは、水受け容器３６が乗るように突出した突出部５６ｅを有していることが好ましい。摺動部５６ｃと逆Ｌ字形部分５６ｄとの間に、空間５６ｆが形成されている。また、変位部材５６は、水受け容器３６がスペース１８内に配置されるときに水受け容器３６によって固定部５４に向かって押され、水受け容器３６のスペース１８内への配置を許す第一位置５６ａに変位させられ、即ち、引込められるように構成されていると共に、水受け容器３６が配置されていないときに、前板１６が閉位置１４ａまで閉じることを阻止する第二位置５６ｂにばね（図示せず）によって付勢されている。
【００４３】
図１１に示すように、上段の引出し１４は、前板１６から後方に突出するキー５８を有している。なお、図１１において、上段の引出し１４に固定されていない変位ユニット５６を二点鎖線で示す。キー５８は、水受け容器３６がスペース１８内に配置されていないとき、即ち、幕板１２に固定されている固定部５４から突出するように付勢された変位部材５６が第二位置５６ｂにあるとき、変位部材５６の摺動部５６ｃと前後方向に整列する位置に配置されるように構成され、それにより、上段の引出し１４を閉じようとするとき、キー５８が摺動部５６ｃにぶつかるように構成されている。また、変位部材５６は、それが第一位置５６ａに変位させられているときに、キー５８と空間５６ｆとが前後方向に整列するように構成され、キー５８は、変位部材５６の空間５６ｆ内に侵入することができる形状及び大きさを有している。
【００４４】
次に、本発明の第２の実施形態による水回りキャビネットの動作を説明する。第２の実施形態による水回りキャビネット５０の動作は、第１の実施形態による水回りキャビネット１の動作とほとんど同じであるので、異なる部分だけを説明する。
【００４５】
水受け容器３６を幕板１２に取付けるとき、水受け容器３６を、変位ユニット５２の変位部材５６の突出部５６ｅの上に乗せ、固定部５４に向って押し、第一位置５６ａに変位させる。上段の引出し１４を閉じると、キー５８が空間５６ｆ内に入り込み、上段の引出し１４を閉位置１４ａまで閉じることができる。
【００４６】
水受け容器３６を取付けないで上段の引出し１４を閉じようとすると、第二位置５６ｂに付勢された変位部材５６の摺動部５６ｃに上段の引出し１４のキー５８がぶつかり、上段の引出し１４の前板１６が閉位置１４ａまで閉じることが阻止される。それにより、水受け容器３６が取付けられていないことを使用者に知らせることができる。
【００４７】
次に、本発明による水回りキャビネットの第３の実施形態を説明する。本発明の第３の実施形態の水回りキャビネットは、第１の実施形態の変形部材が異なること以外、第１の水回りキャビネット１と同様の構成を有している。従って、異なっている部分だけを以下に説明する。
【００４８】
図１２は、第３の実施形態の水回りキャビネットの部分的な正面図である。図１３は、図１２に示す変位ユニットの第一位置における斜視図である。図１４は、図１２に示す変位ユニットの第二位置における斜視図である。
【００４９】
図１２〜図１４に示すように、本発明の第３の実施形態である水回りキャビネット７０は、更に、水受け容器３６に隣接して配置された変位ユニット７２を有している。この変位ユニット７２は、幕板１２に取付けられた固定部７４と、固定部７４に対する第一位置７６ａと第二位置７６ｂとの間を変位可能な変位部材７６とを有している。詳細には、固定部７４は、変位部材７６を受入れる孔７４ａを有する箱形であり、変位部材７６は、固定部７４の孔７４ａから出たり入ったりする箱形の摺動部７６ｃと、摺動部７６ｃから下方に延びる垂直部分７６ｄとを有している。垂直部分７６ｄは、水受け容器３６が乗るように突出した突出部７６ｅを有していることが好ましい。また、変位部材７６は、水受け容器３６がスペース１８内に配置されるときに水受け容器３６によって固定部７４に向かって押され、水受け容器３６及び浄水ユニット２０のスペース１８内への配置を許す第一位置７６ａに変位させられ、即ち、引込められるように構成されていると共に、水受け容器３６が配置されていないときに、浄水ユニット２０、即ち、浄水カートリッジ２がスペース１８内に配置することを阻止する第二位置７６ｂにばね（図示せず）によって付勢されている。
【００５０】
次に、本発明の第３の実施形態による水回りキャビネットの動作を説明する。第３の実施形態による水回りキャビネット７０の動作は、第１の実施形態による水回りキャビネット１の動作とほとんど同じであるので、異なる部分だけを説明する。
【００５１】
水受け容器３６を幕板１２に取付けるとき、水受け容器３６を、変位ユニット７２の変位部材７６の突出部７６ｅの上に乗せ、固定部７４に向って押し、第一位置７６ａに変位させる。それにより、浄水ユニット２０は、変位部材７６の垂直部分７６ｄに干渉することなく取付けられる。
【００５２】
水受け容器３６を取付けないで浄水ユニット２０を取付けようとすると、第二位置７６ｂに付勢された変位部材７６の垂直部分７６ｄに浄水ユニット２０がぶつかり、浄水ユニット２０を取付けることが阻止される。それにより、水受け容器３６が取付けられていないことを使用者に知らせることができる。
【００５３】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００５４】
上記実施形態では、水受け容器３６が、それを幕板１２の孔３０の下縁３０ｃに引掛けることによって幕板１２に取付けられていたが、図１５に示す第１の変形例の水受け容器９０のように、幕板１２から突出するピン９１に孔９２を引掛けるように幕板１２に取付けられてもよい。
【００５５】
また、上記実施形態では、水受け容器３６が上方に開放していたが、図１６に示す第２の変形例の水受け容器９４及び図１７に示す第３の変形例の水受け容器９８のように、水受け容器が上蓋を有していてもよい。
【００５６】
図１６に示す第２の変形例の水受け容器９４では、上蓋９５は、その中心に向かって下方に傾斜し、その中心に孔９６を有している。この孔９６は、水受け容器３６が上蓋で閉じられているときに上蓋９５に垂れた水を水受け容器９４内に導くための孔である。孔９６の大きさは、水受け容器９４を持ち運ぶときに水受け容器９４内の水がこぼれないように定められるのがよい。孔９６が１つしかないので、水受け容器９４内の水がこぼれにくい構造になる。
【００５７】
また、図１７に示す第３の変形例の水受け容器９８では、上蓋９９は、平らであるが、上蓋９９に対して斜め方向に延びる複数の孔１００を有している。この孔１００は、水受け容器９８が上蓋９９で閉じられているときに上蓋９９に垂れた水を水受け容器９８内に導くための孔である。孔１００の傾斜は、水受け容器９８を持ち運ぶときに水受け容器９８内の水がこぼれないように定められるのがよい。孔１００が複数あるので、上蓋９９に垂れた水が水受け容器９８内に入りやすくなる構造になる。
【００５８】
また、上記実施形態の水受け容器３６において、その中に入っている水を確認しやすくするために、図１８に示す第４の変形例の水受け容器１０２のようにしてもよい。詳細には、水受け容器１０２の前壁の上縁に、水受け容器１０２の中を斜め上方向から見ることができるようにするための切欠き１０３が設けられている。特に、浄水ユニット２０と水受け容器１０２とが近接して取付けられている場合、水受け容器１０２を幕板２から取外さずに水受け容器１０２内を確認することができる。また、水受け容器１０２の底面が１つの箇所１０４に向かって下方に傾斜していることが好ましく、上記箇所１０４が、切欠き１０３を通して水受け容器１０２の中を見た視線の先に位置すること、例えば奥側に位置することが更に好ましい。この場合、水受け容器１０２内に水が溜まっている水が少量であっても、水が溜まっていることを認識しやすくなる。また、水を吸収すると色が変わるシリカゲル等の材料１０５を水受け容器１０２内、特に上記箇所１０４に入れておいてもよい。
【００５９】
また、上記実施形態では、前板１６は、上段の引出し１４に設けられていたが、幕板１２との間にスペース１８を構成するように幕板１２の前方に設けられていれば、前扉等に設けられていてもよい。
【００６０】
上記実施形態では、浄水ユニット２０内の３つのカートリッジ容器２６を直列に接続したが、浄水ユニット内の構成は任意であり、カートリッジ容器２６の個数、形状、接続の仕方等を変更してもよい。
【００６１】
上記実施形態では、傾斜板３４と水受け容器３６とが一体に構成されていたけれども、カートリッジ側継手２４とキャビネット側継手３２との間から漏れる水を受入れることができ且つ水受け容器３６を取外すことができれば、傾斜板３４とキャビネット側継手３２又は幕板１２とが一体であってもよい。
【図面の簡単な説明】
【００６２】
【図１】本発明による水回りキャビネットの概略的な斜視図である。
【図２】図１に示す水回りキャビネットに取付けられる浄水カートリッジの概略的な斜視図である。
【図３】第１の実施形態の水回りキャビネットにおける、図１の線III−IIIにおける断面図である。
【図４】図３に示す幕板及び水受け容器を示す斜視図である。
【図５】図３に示す幕板及び水受け容器の分解斜視図である。
【図６】図３に示す水受け容器を後方から見た斜視図である。
【図７】水受け容器の取付けを示すための水回りキャビネットの部分拡大図である。
【図８】第２の実施形態の水回りキャビネットの部分的な正面図である。
【図９】図８に示す変位ユニットの第一位置における斜視図である。
【図１０】図８に示す変位ユニットの第二位置における斜視図である。
【図１１】図８に示す水回りキャビネットを上方から見た部分的な斜視図である。
【図１２】第３の実施形態の水回りキャビネットの部分的な正面図である。
【図１３】図１２に示す変位ユニットの第一位置における斜視図である。
【図１４】図１２に示す変位ユニットの第二位置における斜視図である。
【図１５】水受け容器の第１の変形例を示す斜視図である。
【図１６】水受け容器の第２の変形例を示す斜視図である。
【図１７】水受け容器の第３の変形例を示す斜視図である。
【図１８】水受け容器の第４の変形例を示す斜視図である。
【符号の説明】
【００６３】
１、５０、７０  水回りキャビネット
２  浄水カートリッジ
８  シンク
１２  幕板
１４ａ  閉位置
１６  前板
１８  スペース
２４  カートリッジ側継手
２４ａ  給水口
２４ｂ  出水口
３２  キャビネット側継手
３６、９０、９４、９８、１０２  水受け容器
４２  変位部材
４２ａ  第一位置
４２ｂ  第二位置
４４  窓
５６  変位部材
５６ａ  第一位置
５６ｂ  第二位置
７６  変位部材
７６ａ  第一位置
７６ｂ  第二位置
９５、９９  上蓋
９６、１００  孔
【図１】
2009077925.tif 000003
【図２】
2009077925.tif 000004
【図３】
2009077925.tif 000005
【図４】
2009077925.tif 000006
【図５】
2009077925.tif 000007
【図６】
2009077925.tif 000008
【図７】
2009077925.tif 000009
【図８】
2009077925.tif 000010
【図９】
2009077925.tif 000011
【図１０】
2009077925.tif 000012
【図１１】
2009077925.tif 000013
【図１２】
2009077925.tif 000014
【図１３】
2009077925.tif 000015
【図１４】
2009077925.tif 000016
【図１５】
2009077925.tif 000017
【図１６】
2009077925.tif 000018
【図１７】
2009077925.tif 000019
【図１８】
2009077925.tif 000020